(57)【要約】【課題】比較的大きな装置構成であっても、使い勝手のよい放射線画像撮影装置を提供する。【解決手段】放射線画像撮影装置１０では、放射線検出器４０と、筐体２０とを備えている。放射線画像撮影装置１０は、各々放射線画像を検出する検出面を有する複数の放射線検出器４０を備えている。また、筐体２０は、天板２４、及び天板２４の縁部に設けられた側壁であるフレーム本体３０を備え、フレーム本体３０には凹部２８が設けられており、天板２４の表面に沿った方向に検出面が並べられた状態で複数の放射線検出器４０を収容する。【選択図】図２
2016104116.tif 000002
【特許請求の範囲】
【請求項１】
各々放射線画像を検出する検出面を有する複数の放射線検出器と、
天板、及び前記天板の縁部に設けられた側壁を備え、前記側壁には凹部が設けられており、前記天板の表面に沿った方向に前記検出面が並べられた状態で前記複数の放射線検出器を収容する筐体と、
を備えた放射線画像撮影装置。
【請求項２】
前記放射線検出器は、照射された放射線に応じた電荷を発生するセンサ部と、前記センサ部から前記電荷を読み出して出力するスイッチ素子と、を各々備えた複数の画素を備える、
請求項１に記載の放射線画像撮影装置。
【請求項３】
前記凹部は、凹みの内部が密閉されている、
請求項１または請求項２に記載の放射線画像撮影装置。
【請求項４】
前記側壁には、前記凹部が複数設けられている、
請求項１から請求項３のいずれか１項に記載の放射線画像撮影装置。
【請求項５】
前記天板は、矩形状であり、
前記側壁は、対向して設けられた一対の側壁を備え、
前記凹部は、該一対の側壁の各々に少なくとも１つ設けられている、
請求項１から請求項４のいずれか１項に記載の放射線画像撮影装置。
【請求項６】
前記凹部は、前記一対の側壁の対向する位置に設けられている、
請求項５に記載の放射線画像撮影装置。
【請求項７】
前記天板は、矩形状であり、
前記側壁は、前記天板の長手方向の縁部に設けられた一対の側壁を備え、
前記凹部は、該一対の側壁に設けられている、
請求項１から請求項６のいずれか１項に記載の放射線画像撮影装置。
【請求項８】
前記凹部は、対向して設けられた一対の前記側壁の各々に一対ずつ設けられている、
請求項７に記載の放射線画像撮影装置。
【請求項９】
一方の側壁の一対の前記凹部、及び他方の側壁の一対の前記凹部は、各々、人の両手により把持可能な位置に設けられている、
請求項８に記載の放射線画像撮影装置。
【請求項１０】
前記凹部は、対向して設けられた一対の前記側壁の各々に、前記天板の表面に沿った方向に対して、長尺状に設けられている、
請求項７から請求項９のいずれか１項に記載の放射線画像撮影装置。
【請求項１１】
前記凹部は、前記天板の表面に沿った方向に対して、前記天板側から反対側に向けて膨らんだ平面視円弧状に設けられている、
請求項１０に記載の放射線画像撮影装置。
【請求項１２】
前記凹部は、対向して設けられた一対の前記側壁の各々に、前記天板の表面に沿った方向に対して並べて、複数設けられている、
請求項７から請求項１１のいずれか１項に記載の放射線画像撮影装置。
【請求項１３】
前記凹部は、前記天板の表面に沿った方向に対して、前記天板側から反対側に向けて膨らんだ平面視円弧状に並べられている、
請求項１２に記載の放射線画像撮影装置。
【請求項１４】
前記凹部は、自装置が撮影台に固定される場合の固定部となる、
請求項１から請求項１３のいずれか１項に記載の放射線画像撮影装置。
【請求項１５】
前記凹部は、被写体を透過した放射線に含まれる散乱線を除去するグリッドを用いて前記被写体の撮影を行う場合で、かつ自装置が前記グリッドに固定される場合の固定部となる、
請求項１から請求項１４のいずれか１項に記載の放射線画像撮影装置。
【請求項１６】
前記凹部は、前記固定部となる場合で、かつ自装置がねじにより撮影台に固定される場合の、該ねじがねじ込まれるねじ穴が凹みの内部に設けられている、
請求項１４または請求項１５に記載の放射線画像撮影装置。
【請求項１７】
前記天板には、前記凹部の位置が表示されている、
請求項１から請求項１６のいずれか１項に記載の放射線画像撮影装置。
【請求項１８】
前記凹部の大きさは、自装置を人が把持する場合の該人の把持部分の大きさにより規定される、
請求項１から請求項１７のいずれか１項に記載の放射線画像撮影装置。
【請求項１９】
前記複数の放射線検出器は、隣接する放射線検出器の端部同士が重複された状態で並べられて前記筐体に収容されている、
請求項１から請求項１８のいずれか１項に記載の放射線画像撮影装置。
【請求項２０】
前記複数の放射線検出器は、一体的に形成されている、
請求項１から請求項１８のいずれか１項に記載の放射線画像撮影装置。
【請求項２１】
放射線画像を検出する検出面を有し、かつ該検出面が予め定められた大きさ以上の大きさとされた単一の放射線検出器と、
天板、及び前記天板の縁部に設けられた側壁を備え、前記側壁には凹部が設けられており、前記天板の表面に前記検出面を対向させて前記単一の放射線検出器を収容する筐体と、
を備えた放射線画像撮影装置。
【発明の詳細な説明】
【技術分野】
【０００１】
本発明は、放射線画像撮影装置に関する。
【背景技術】
【０００２】
従来、被写体を撮影する放射線画像撮影装置として、例えば医療診断を目的とした放射線撮影を行う放射線画像撮影装置が知られている。放射線画像撮影装置は、放射線照射装置から照射され、被写体を透過した放射線を放射線検出器により検出して放射線画像を撮影する。放射線検出器は、照射された放射線に応じた電荷を発生することにより放射線画像を検出する一方、発生した電荷を収集して読み出すことにより放射線画像の撮影を行う。
【０００３】
大きな被写体、例えば、人体の胸部、腹部、及び脚部等を含む被写体を一度に撮影する場合等、放射線画像を検出する検出面が並べられた状態で筐体に収容された複数の放射線検出器を備えた放射線画像撮影装置により撮影を行う技術が知られている。例えば、特許文献１には、複数の輝尽性蛍光体ディテクタを備えた長尺の放射線画像撮影装置によりデジタル長尺撮影を行う技術が記載されている。
【０００４】
ところで、放射線画像の撮影を異なる場所や、異なる撮影台等により行うにあたり、放射線画像撮影装置の設置位置を移動させるために、筐体に把手（いわゆる取っ手）を設ける技術が知られている。特許文献２には、放射線検出器を収容するハウジング（筐体）に把手部材が設けられた放射線画像撮影装置が記載されている。
【先行技術文献】
【特許文献】
【０００５】
【特許文献１】特開２００２−８５３９２号公報
【特許文献２】特開２００９−２３７０７４号公報
【発明の概要】
【発明が解決しようとする課題】
【０００６】
しかしながら、上述した複数の放射線検出器を備えた放射線画像撮影装置を移動させる場合、単一の放射線検出器を備えた放射線画像撮影装置よりも大きくて重いため、使い勝手の面において問題があった。
【０００７】
また、単一の放射線検出器を備えた放射線画像撮影装置であっても、比較的大型の放射線検出器である場合、複数の放射線検出器を備えた場合の放射線画像撮影装置と同様に使い勝手の面において問題があった。
【０００８】
また、上述した把手を有する放射線画像撮影装置を用いる場合、把手が被写体に接触したり、所定位置に放射線画像撮影装置を設置する場合に邪魔になったりするため、使い勝手の面において問題があった。
【０００９】
本発明は、比較的大きな装置構成であっても、使い勝手のよい放射線画像撮影装置を提供することを目的とする。
【課題を解決するための手段】
【００１０】
上記課題を解決するため、本発明の放射線画像撮影装置は、各々放射線画像を検出する検出面を有する複数の放射線検出器と、天板、及び天板の縁部に設けられた側壁を備え、側壁には凹部が設けられており、天板の表面に沿った方向に検出面が並べられた状態で複数の放射線検出器を収容する筐体と、を備える。
【００１１】
本発明の放射線画像撮影装置の放射線検出器は、照射された放射線に応じた電荷を発生するセンサ部と、センサ部から電荷を読み出して出力するスイッチ素子と、を各々備えた複数の画素を備える。
【００１２】
本発明の放射線画像撮影装置の凹部は、凹みの内部が密閉されていてもよい。
【００１３】
本発明の放射線画像撮影装置の側壁には、凹部が複数設けられていてもよい。
【００１４】
本発明の放射線画像撮影装置の天板は、矩形状であり、側壁は、対向して設けられた一対の側壁を備え、凹部は、一対の側壁の各々に少なくとも１つ設けられていてもよい。
【００１５】
本発明の放射線画像撮影装置の凹部は、一対の側壁の対向する位置に設けられていてもよい。
【００１６】
本発明の放射線画像撮影装置の天板は、矩形状であり、側壁は、天板の長手方向の縁部に設けられた一対の側壁を備え、凹部は、一対の側壁に設けられていてもよい。
【００１７】
また、本発明の放射線画像撮影装置の凹部は、対向して設けられた一対の側壁の各々に一対ずつ設けられていてもよい。
【００１８】
また、本発明の放射線画像撮影装置の一方の側壁の一対の凹部、及び他方の側壁の一対の凹部は、各々、人の両手により把持可能な位置に設けられていてもよい。
【００１９】
また、本発明の放射線画像撮影装置の凹部は、対向して設けられた一対の側壁の各々に、天板の表面に沿った方向に対して、長尺状に設けられていてもよい。
【００２０】
また、本発明の放射線画像撮影装置の凹部は、天板の表面に沿った方向に対して、天板側から反対側に向けて膨らんだ平面視円弧状に設けられていてもよい。
【００２１】
また、本発明の放射線画像撮影装置の凹部は、対向して設けられた一対の側壁の各々に、天板の表面に沿った方向に対して並べて、複数設けられていてもよい。
【００２２】
また、本発明の放射線画像撮影装置の凹部は、天板の表面に沿った方向に対して、天板側から反対側に向けて膨らんだ平面視円弧状に並べられていてもよい。
【００２３】
本発明の放射線画像撮影装置の凹部は、自装置が撮影台に固定される場合の固定部となってもよい。ここで言う「自装置」とは、放射線画像撮影装置自体のことをいう。
【００２４】
本発明の放射線画像撮影装置の凹部は、被写体を透過した放射線に含まれる散乱線を除去するグリッドを用いて被写体の撮影を行う場合で、かつ自装置がグリッドに固定される場合の固定部となってもよい。
【００２５】
また、本発明の放射線画像撮影装置の凹部は、固定部となる場合で、かつ自装置がねじにより撮影台に固定される場合の、ねじがねじ込まれるねじ穴が凹みの内部に設けられていてもよい。ねじにかえて、ボルトおよびナット、スクリュー、スタッド、ビス等を用いて撮影台に固定してもよい。
【００２６】
本発明の放射線画像撮影装置の天板には、凹部の位置が表示されていてもよい。
【００２７】
本発明の放射線画像撮影装置の凹部の大きさは、自装置を人が把持する場合の人の把持部分の大きさにより規定されてもよい。
【００２８】
本発明の放射線画像撮影装置の複数の放射線検出器は、隣接する放射線検出器の端部同士が重複された状態で並べられて筐体に収容されていてもよい。
【００２９】
本発明の放射線画像撮影装置の複数の放射線検出器は、一体的に形成されていてもよい。
【００３０】
また、本発明の放射線画像撮影装置は、放射線画像を検出する検出面を有し、かつ検出面が予め定められた大きさ以上の大きさとされた単一の放射線検出器と、天板、及び天板の縁部に設けられた側壁を備え、側壁には凹部が設けられており、天板の表面に検出面を対向させて単一の放射線検出器を収容する筐体と、を備える。
【発明の効果】
【００３１】
本発明によれば、比較的大きな装置構成であっても、放射線画像撮影装置の使い勝手がよくなる、という効果が得られる。
【図面の簡単な説明】
【００３２】
【図１】実施の形態の放射線画像撮影装置を立位台に設置した場合の放射線Ｒの照射側から見た斜視図である。
【図２】実施の形態の放射線画像撮影装置の一例を放射線Ｒの照射側からみた平面図及び側面図である。
【図３】実施の形態の放射線画像撮影装置のフレーム本体の一例を放射線Ｒの照射側からみた平面図及び側面図である。
【図４】実施の形態の放射線画像撮影装置を臥位台に設置した場合の側面図である。
【図５】実施の形態の筐体の内部に収容される放射線検出器の配置状態の一例を表す側面図及び平面図である。
【図６】実施の形態の放射線画像撮影装置の固定部分の図１におけるＡ−Ａ切断線による断面図である。
【図７】凹部を利用して放射線画像撮影装置とグリッドとを固定した状態を示す、図６に対応する断面図である。
【図８】凹部を利用して放射線画像撮影装置と撮影台及びグリッドとを固定した状態を示す、図６に対応する断面図である。
【図９】変形例１の放射線画像撮影装置の一例を放射線Ｒの照射側からみた平面図及び側面図である。
【図１０】変形例２の放射線画像撮影装置の一例を放射線Ｒの照射側からみた平面図及び側面図である。
【図１１】変形例３の放射線画像撮影装置の一例を放射線Ｒの照射側からみた平面図及び側面図である。
【図１２】変形例４の放射線画像撮影装置の一例を放射線Ｒの照射側からみた平面図及び側面図である。
【図１３】変形例５の放射線画像撮影装置のフレーム本体の一例を放射線Ｒの照射側からみた平面図及び側面図である。
【図１４】変形例６の放射線画像撮影装置のフレーム本体の一例を放射線Ｒの照射側からみた平面図及び側面図である。
【図１５】ねじ穴を有さない凹部を利用して、放射線画像撮影装置を撮影台に固定した場合の、図６に対応する断面図の一例である。
【図１６】図３に示した上記実施の形態の放射線画像撮影装置のフレーム本体に、検出面が予め定められた大きさ以上の大きさとされた単一の放射線検出器が収容された状態を放射線Ｒの照射側からみた平面図及び側面図である。
【図１７】実施の形態の筐体の内部に収容される放射線検出器の撮影有効領域の端部同士が重複されない配置状態の一例を表す側面図及び平面図である。
【図１８】凹部の位置を天板の撮影面に表示した放射線画像撮影装置の一例である。
【図１９】放射線画像撮影装置のその他の一例を放射線Ｒの照射側からみた平面図及び側面図である。
【図２０】放射線画像撮影装置のその他の一例を放射線Ｒの照射側からみた平面図及び側面図である。
【発明を実施するための形態】
【００３３】
以下、各図面を参照して本発明に係る実施の形態を説明する。なお、図面において同一機能を有する部分には同一符号が付されており、重複する説明は適宜省略する。
【００３４】
図１には、本実施の形態の放射線画像撮影装置を立位台に設置した場合の放射線Ｒの照射側から見た斜視図を示す。放射線画像撮影装置１０は、例えば、立位状態、または椅子あるいは車椅子に着座した座位状態にある被検者（被写体の一例）を撮影する場合、立てた状態で立位台９０に設置される。
【００３５】
図１において、矢印Ｘ方向は、放射線Ｒの照射方向に対して直交する水平方向である。矢印Ｙ方向は放射線Ｒの照射方向と一致する水平方向である。また、矢印Ｚ方向は鉛直方向である。矢印Ｘ方向、矢印Ｙ方向、及び矢印Ｚ方向は、ＸＹＺ座標におけるＸ軸方向、Ｙ軸方向、及びＺ軸方向と一致する方向である。
【００３６】
図１に示したように、放射線画像撮影装置１０は、一方の対辺（図１に示す例では、Ｚ軸方向に沿った辺）を長手方向とし、他方の対辺（図１に示す例では、Ｘ軸方向に沿った辺）を短手方向とする矩形平板状の筐体２０を備えている。筐体２０は、天板２４と、背面板２６と、筐体の側壁であるフレーム本体３０とを備えている。なお、本実施の形態において、「矩形」とは、角部が面取りされたものも含む。
【００３７】
天板２４は、フレーム本体３０に固定されており、筐体２０の外部側の面が撮影面２５とされている。撮影面２５には、図示を省略した放射線照射装置の線源から放射線Ｒが照射される。また、天板２４（撮影面２５）に対向して背面板２６が、フレーム本体３０に固定されている。
【００３８】
放射線画像撮影装置１０の筐体２０は、背面板２６が撮影台１３に接しており、撮影台１３に、板金１６及びねじ１８により固定されている。図２には、本実施の形態の放射線画像撮影装置１０の一例を放射線Ｒの照射側からみた平面図及び側面図を示す。また、図３には、本実施の形態の放射線画像撮影装置１０のフレーム本体３０の一例を放射線Ｒの照射側からみた平面図及び側面図を示す。なお、図２の平面図では、凹部２８の内部の形状を天板２４上に点線にて図示している。また、図２及び図３では、平面図におけるＸ軸方向及びＹ軸方向を図示している。なお、以下では、平面図及び側面図を図示した図面においては、平面図におけるＸ軸方向及びＹ軸方向を図示する。
【００３９】
図２及び図３に示すように、筐体２０のフレーム本体３０における長手側の側壁（以下、「長手側の側壁」という。）である第１フレーム３２及び第２フレーム３４の側面には、ねじ穴２９（図２等参照）を有する凹部２８１〜２８４（詳細後述、複数の凹部を総称する場合は、「凹部２８」という）が設けられており、ねじ１８は、各凹部２８のねじ穴２９に板金１６を介してねじ込まれている。
【００４０】
図１に示すように、撮影台１３は、Ｚ軸方向を長手方向とする角柱形状の支持柱１２に支持されている。支持柱１２の下端部には支持柱１２の外側へ広がる底板１１が設けられ、底板１１により支持柱１２を介して撮影台１３及び放射線画像撮影装置１０が安定的に支持される。放射線画像撮影装置１０は、撮影台１３への取付け、及び撮影台１３からの取外しが可能とされている。
【００４１】
一方、図４には、本実施の形態の放射線画像撮影装置１０を臥位台に設置した場合の側面図を示す。本実施の形態の臥位台９２は、被検者が上面側において臥位とされる撮影台１５と、撮影台１５を支持する２つの支持柱１４とを含んでいる。放射線画像撮影装置１０は、例えば、臥位状態の被検者を撮影する場合、図４に示すように、横にした状態で臥位台９２の撮影台１５の上面に設置される。
【００４２】
本実施の形態では、図４に示したように、臥位台９２上に設置した状態で放射線画像撮影装置１０を用いる場合は、撮影台１５に放射線画像撮影装置１０を固定しないで用いている。なお、図１に示した、立位台９０に設置した状態で放射線画像撮影装置１０を用いる場合と同様に、放射線画像撮影装置１０を撮影台１５に板金１６及びねじ１８により固定してもよい。また、放射線画像撮影装置１０は、撮影台１５上に配置するのではなく、撮影室や病室等の床に直接配置してもよい。
【００４３】
放射線画像撮影装置１０は、放射線画像撮影装置１０と、図示を省略した放射線照射装置との間にポジショニングされた被検者の放射線画像を撮影する機能を有する。図５には、本実施の形態の筐体２０の内部に収容される放射線検出器の配置状態の一例を表す側面図及び平面図を示す。図５では、放射線検出器を放射線Ｒの照射側からみた平面図及び側面図を示している。
【００４４】
図５に示すように、本実施の形態の放射線画像撮影装置１０は、３枚の放射線検出器４０１〜４０３（以下、総称する場合は、「放射線検出器４０」という）により、放射線画像を撮影する。そのため、筐体２０の内部には３枚の放射線検出器４０が収容されている。
【００４５】
本実施の形態の放射線画像撮影装置１０は、具体例として、放射線Ｒを一旦、光に変換し、変換した光を電荷に変換する間接変換方式の、いわゆる、ＤＲ（Digital Radiography）と呼ばれる放射線検出器４０を用いている。本実施の形態の放射線検出器４０は、複数の画素（いずれも図示省略）を有するＴＦＴ（Thin Film Transistor）ガラス基板４２を備えている。複数の画素は、光を受けて電荷を発生し、発生した電荷を蓄積するセンサ部と、センサ部に蓄積された電荷を読み出すためのスイッチ素子であるＴＦＴと、を含む。本実施の形態では、シンチレータ４４によって放射線Ｒから変換された光が照射されることにより、センサ部において電荷が発生する。
【００４６】
放射線検出器４０には、さらに、ＴＦＴガラス基板４２に設けられた各画素のＴＦＴのオンまたはオフを制御するための制御信号が流れるゲート配線、及びゲート配線に制御信号を出力するスキャン信号制御回路（いずれも図示省略）が設けられている。また、放射線検出器４０には、さらに、ＴＦＴガラス基板４２に設けられた各画素から読み出した電荷が流れる信号配線、及び信号配線に流れる電荷を検出する信号検出回路（いずれも図示省略）等が設けられている。
【００４７】
図５に示したように、本実施の形態の放射線画像撮影装置１０では、３枚の放射線検出器４０が、天板２４の表面に沿った方向に検出面が並べられた状態で筐体２０に収容されている。なお、本実施の形態において検出面とは、放射線検出器４０の放射線Ｒを検出する側の面をいい、具体的には、ＴＦＴガラス基板４２における放射線Ｒの照射側の面をいう。また、放射線検出器４０は、放射線Ｒの入射方向に対して、撮影有効領域（実際に放射線画像の撮影に寄与する画素の領域）の端部同士が重複された状態で並べて配置されている。具体的には、放射線検出器４０１の撮影有効領域の端部と、放射線検出器４０２の撮影有効領域の端部とが重複している。また、放射線検出器４０２の撮影有効領域の端部と、放射線検出器４０３の撮影有効領域の端部とが重複している。このように、撮影有効領域の端部同士が重複された状態で放射線検出器４０を並べて配置することにより、最終的に得られる長尺状の放射線画像の欠損を防止する。重複させる撮影有効領域の範囲は、放射線検出器４０（放射線画像撮影装置１０）に対して放射線照射装置の線源から照射される放射線Ｒの入射角度の範囲を考慮して定めることが好ましい。
【００４８】
図５に示すように、本実施の形態の放射線画像撮影装置１０では、３枚の放射線検出器４０により放射線画像の撮影を行うため、放射線画像撮影装置１０全体では、長尺状の放射線画像を撮影することができる。
【００４９】
次に、本実施の形態の放射線画像撮影装置１０の筐体２０の詳細について説明する。
【００５０】
上述したように、本実施の形態の筐体２０は、放射線Ｒが照射される側、及びその反対側が開口された矩形枠状のフレーム本体３０（図３参照）を備えている。
【００５１】
フレーム本体３０には、上述したように放射線Ｒが照射される側に天板２４が設けられており、放射線Ｒが照射される側と反対側に、天板２４に対向して背面板２６が設けられている。本実施の形態の天板２４は、矩形平板状であり、放射線Ｒを透過し、かつ軽量な材料が用いられる。天板２４の具体例としては、炭素繊維強化プラスチック（ＣＦＲＰ：Carbon Fiber Reinforced Plastics）が好適に用いられる。また、背面板２６は、矩形平板状であり、例えば、フレーム本体３０と同一の材料や炭素繊維強化プラスチック等により形成されている。
【００５２】
フレーム本体３０は、各々互いに対向する一対の第１フレーム３２及び第２フレーム３４と、一対の第３フレーム３６及び第４フレーム３８と、が組付けられている。一対の第１フレーム３２及び第２フレーム３４は、上述した長手側の側壁の一部として平行に設けられている。第１フレーム３２及び第２フレーム３４は、３枚の放射線検出器４０を並べて収容可能な長さとされている。一対の第３フレーム３６及び第４フレーム３８は、短手側の側壁の一部として平行に設けられている。第３フレーム３６及び第４フレーム３８は、１枚の放射線検出器４０を収容可能な長さとされている。
【００５３】
本実施の形態の放射線画像撮影装置１０では、第１フレーム３２及び第２フレーム３４の長さＬ１を１３４０ｍｍとしており、第３フレーム３６及び第４フレーム３８の長さＬ２を５７０ｍｍとしている。なお、長尺撮影を考慮すると、長さＬ１は、６００〜１６００ｍｍ程度が望ましく、長さＬ２は、４００〜６００ｍｍ程度が望ましい。また、本実施の形態の放射線画像撮影装置１０では、放射線画像撮影装置１０の厚みとなるフレーム本体３０の厚みＨ１を５０ｍｍとしている。
【００５４】
フレーム本体３０は、加工性に優れかつ軽量な、例えば軽金属材料、軽合金材料または炭素繊維強化プラスチックにより形成されている。軽金属材料としては例えば、アルミニウムが好適である。また、軽合金材料としては、例えば、アルミニウム合金やマグネシウム合金が好適である。
【００５５】
また、本実施の形態のフレーム本体３０は、上述したように凹部２８１〜２８４を備えている。具体的には、図２及び図３に示すように、第１フレーム３２には、２つの凹部２８１および２８２が設けられており、第２フレーム３４には、２つの凹部２８３、２８４が設けられている。凹部２８１と凹部２８３とは、互いに対向する位置に設けられている。また、凹部２８２と凹部２８４とは、互いに対向する位置に設けられている。なお、本実施の形態の凹部２８は、凹みの内部が密閉されている。また、本実施の形態のフレーム本体３０では、内部に貫通する貫通孔は設けられておらず、筐体２０全体が密閉状態になっている。
【００５６】
本実施の形態の放射線画像撮影装置１０の凹部２８は、外部から人間の指が挿入可能な形状及び寸法とされている。具体的には、放射線画像撮影装置１０を移動する場合、移動させようとするユーザは、凹部２８の把持部分に指（指のみや、指と掌の少なくとも一部を含む部分等。）を挿入して、放射線画像撮影装置１０を把持して持ち上げたり、移動したりすることができる。具体的には、本実施の形態の放射線画像撮影装置１０では、第１フレーム３２側を把持する第１ユーザ、及び第２フレーム３４側を把持する第２ユーザの２名のユーザにより放射線画像撮影装置１０を移動させることを想定している。このため、第１フレーム３２には、第１ユーザの両手に対応して２つの凹部２８１および２８２が設けられており、第２フレーム３４には、第２ユーザの両手に対応して２つの凹部２８３および２８４が設けられている。
【００５７】
なお、本実施の形態における放射線画像撮影装置１０の「移動」とは、放射線画像撮影装置１０が配置されている場所を移動することに加え、放射線画像撮影装置１０の配置状態（例えば、立位台９０に設置されている状態や臥位台９２に設置されている状態等）を変化させる場合も含む。
【００５８】
そのため、凹部２８の大きさ及び配置される位置は、ユーザにより、放射線画像撮影装置１０の移動が行いやすい、具体的には、持ち上げたり、運搬したりしやすいことを考慮して設定される。例えば、凹部２８の大きさは、人体における、把持部分（指のみや、指と掌の少なくとも一部を含む部分等）の大きさにより規定される。例えば、日本工業規格のＪＩＳ  Ｃ  ０９２０に規定されている関節付きテストフィンガを用い、テストフィンガが十分に挿入できる大きさ、例えば、第１関節まで挿入できる大きさとすることが好ましい。具体例として本実施の形態では、凹部２８の大きさとして、幅Ｗ１を８０ｍｍ以上、及び筐体２０の厚み方向の長さＨ２を１５ｍｍ以上としている。
【００５９】
一般的に、放射線検出器４０がＤＲの場合、いわゆるＣＲ（Computed Radiography）と呼ばれる放射線検出器に比べて、放射線の照射方向に対する厚みが厚くなる。そのため、放射線検出器４０としてＤＲを用いた放射線画像撮影装置１０では、放射線検出器をＣＲとした場合に比べて、放射線画像撮影装置１０の厚み（フレーム本体３０の厚み）Ｈ１が厚くなる。また、放射線画像撮影装置１０では、３枚の放射線検出器４０の端部同士が重複されているため、放射線検出器４０が１枚の場合に比べて厚みが厚くなる。そのため、放射線画像撮影装置１０は、フレーム本体３０に適度な寸法の凹部２８を設けるのに十分な厚みを有している。
【００６０】
また、凹部２８の深さ（第３フレーム３６及び第４フレーム３８の表面に沿った方向の長さ）Ｄは、放射線画像撮影装置１０を把持するのに適切な長さの人の把持部分（指のみや、指と掌の少なくとも一部を含む部分等）が挿入可能な長さとすることが好ましい。なお、一般には、放射線画像撮影装置１０が重いほど、凹部２８の内部深くまで、指や掌を挿入した方が把持しやすくなる場合が多い。そのため、放射線画像撮影装置１０の重さや大きさに応じて、凹部２８の深さを設定してもよい。
【００６１】
また、例えば、凹部２８の配置される位置としては、第１フレーム３２、及び第２フレーム３４の各々に設けられている一対の凹部２８の各中心の間の間隔Ｌ３を、人の左右の手をそれぞれ凹部２８に片方ずつ挿入することを想定し、標準体型の成人男子の肩幅を考慮して設定することが好ましい。具体例として本実施の形態では、上記一対の凹部２８の中心間の間隔Ｌ３を２００ｍｍ以上、１１００ｍｍ以下としている。
【００６２】
また、図１に示したように、本実施の形態の凹部２８は、放射線画像撮影装置１０を撮影台１３に固定するための固定部としても用いられる。そのため、凹部２８の内部には、予め定められた数（本実施の形態では、２つ）のねじ穴２９が設けられている。本実施の形態では、４箇所の凹部２８を利用して、放射線画像撮影装置１０が撮影台１３に固定される。なお、本実施の形態のフレーム本体３０では、凹部２８に設けられたねじ穴２９の最深部が閉塞されており、ねじ穴２９の内部も密閉状態になっている。
【００６３】
本実施の形態の放射線画像撮影装置１０は、上述したように、固定部材の一例である板金１６及びねじ１８により、撮影台１３に固定される。図６には、本実施の形態の放射線画像撮影装置１０の固定部分の図１におけるＡ−Ａ切断線による断面図を示す。
【００６４】
板金１６は、一対の対辺の各々の端部が同一の方向に略９０°屈曲された矩形状とされている。図６に示したように、ねじ１８のねじ部が凹部２８のねじ穴２９にねじ込まれることにより、板金１６が、フレーム本体３０の天板２４と撮影台１３とを挟み込むことによって、放射線画像撮影装置１０を撮影台１３に固定する。
【００６５】
なお、本実施の形態では、図１に示したように、放射線画像撮影装置１０を、凹部２８を利用して立位台９０の撮影台１３に固定する場合について説明したが、臥位台９２の撮影台１５に固定する場合も同様の形態で固定可能である。また、放射線画像撮影装置１０を撮影台１３に固定する場合に限らず、例えば、放射線画像撮影装置１０とグリッドとを一体的に固定する場合に、凹部２８を利用するようにしてもよい。図７には、凹部２８を利用して放射線画像撮影装置１０とグリッドとを固定した状態を示す、図６に対応する断面図を示す。一般的に、被検者を透過した放射線Ｒは、散乱線を含むため、被検者と放射線画像撮影装置１０（放射線検出器４０）との間に、散乱線を除去するためのグリッド６０を配置した放射線画像の撮影が行われている。このようにグリッド６０を用いて撮影を行う場合に、グリッド６０と、放射線画像撮影装置１０とを一体的に固定するために、凹部２８を利用するようにしてもよい。この場合、一例として図７に示すように、放射線画像撮影装置１０を撮影台１３に固定する場合と同様に、ねじ１８のねじ部が凹部２８のねじ穴２９にねじ込まれることにより、板金１６が、フレーム本体３０の背面板２６とグリッド６０とを挟み込むことによって、放射線画像撮影装置１０とグリッド６０とを一体的に固定する。
【００６６】
なお、図８に示すように、凹部２８を利用して、放射線画像撮影装置１０及びグリッド６０を撮影台１３に固定してもよいことはいうまでもない。
【００６７】
また、筐体２０（フレーム本体３０）に設けられる凹部２８は、上記図１〜８に示したものに限らない。以下、凹部２８のその他の変形例について説明する。
【００６８】
（変形例１）
図９には、本変形例の放射線画像撮影装置の一例を放射線Ｒの照射側からみた平面図及び側面図を示す。なお、図９では、ねじ穴２９の図示は省略している。
【００６９】
本変形例の放射線画像撮影装置１０では、第１フレーム３２及び第２フレーム３４の各々において、いずれの位置を把持してもよいように、凹部２８の幅Ｗ２を上記実施の形態に比較して長くしている。
【００７０】
図９に示すように、本変形例の放射線画像撮影装置１０では、各々長尺状の２つの凹部２８５および２８６が設けられている。具体的には、第１フレーム３２には、凹部２８５が設けられており、第２フレーム３４には、凹部２８６が設けられている。凹部２８５及び凹部２８６は、互いに対向する位置に設けられている。
【００７１】
凹部２８５および２８６の幅Ｗ２は、上記実施の形態の凹部２８１〜２８４の幅Ｗ１よりも長い。ここで、幅Ｗ２は、上述した間隔Ｌ３以上であることが好ましい。凹部２８５および２８６の幅Ｗ２の具体例としては、上記Ｌ３＋Ｗ１以上が好ましい。なお、幅Ｗ２の上限は、放射線検出器４０の寸法や枚数、及び放射線画像撮影装置１０（フレーム本体３０）の大きさ等によって、適宜定めればよい。
【００７２】
このように、本変形例の放射線画像撮影装置１０では、凹部２８の幅Ｗ２を上記実施の形態に比較して長くすることにより、第１フレーム３２及び第２フレーム３４の各々において、把持可能な位置を増加させる。これにより、本変形例の放射線画像撮影装置１０によれば、種々のユーザの体格に対して、放射線画像撮影装置１０の把持が容易になる。また、本変形例の放射線画像撮影装置１０によれば、放射線画像撮影装置１０の移動形態に応じて、把持する位置の自由度が向上する。
【００７３】
（変形例２）
図１０には、本変形例の放射線画像撮影装置の一例を放射線Ｒの照射側からみた平面図及び側面図を示す。なお、図１０では、ねじ穴２９の図示は省略している。
【００７４】
本変形例の放射線画像撮影装置１０では、第１フレーム３２及び第２フレーム３４の各々において、いずれの位置を把持してもよいように、上記実施の形態と同様の凹部２８を設けている。この場合、変形例１の凹部２８に比較して幅が狭い凹部２８を複数設けているため、変形例１に比較して、筐体２０の強度が向上する。
【００７５】
図１０に示すように、本変形例の放射線画像撮影装置１０では、１４個の凹部２８７〜２８２０が設けられている。具体的には、第１フレーム３２には、凹部２８７〜２８１３が設けられており、第２フレーム３４には、凹部２８１４〜２８２０が設けられている。凹部２８７〜２８１３の各々と、凹部２８１４〜２８２０の各々とは、互いに一対一で対向する位置に設けられている。
【００７６】
なお、凹部２８の数は本変形例に限定されるものではない。上述した間隔Ｌ３よりも長い範囲にわたって複数の凹部２８が設けられていることが好ましく、例えば、第１フレーム３２及び第２フレーム３４の上記長手方向の全長にわたって設けられていてもよい。
【００７７】
なお、第１フレーム３２及び第２フレーム３４に、放射線画像撮影装置１０に電源電力を供給する電力線や信号線等のコネクタや、各種スイッチ等が設けられている場合は、これらが設けられている場所には、凹部２８を設けないことが好ましい。
【００７８】
また各凹部２８７〜２８２０の幅Ｗ３は、上記実施の形態の凹部２８１〜２８４の幅Ｗ１と同一としてもよいし、異なっていてもよい。
【００７９】
（変形例３）
図１１には、本変形例の放射線画像撮影装置の一例を放射線Ｒの照射側からみた平面図及び側面図を示す。なお、図１１では、ねじ穴２９の図示は省略している。
【００８０】
本変形例の放射線画像撮影装置１０では、ユーザの指の一本一本を各々単独で挿入するための小さな凹部２８を複数設けている。
【００８１】
図１１に示すように、本変形例の放射線画像撮影装置１０では、１６個の凹部２８２１〜２８３６が設けられている。具体的には、第１フレーム３２には、凹部２８２１〜２８２８が設けられており、第２フレーム３４には、凹部２８２９〜２８３６が設けられている。
【００８２】
ここで、凹部２８２１〜２８２４の各々と、凹部２８２９〜２８３２の各々とは、互いに対向する位置に設けられている。また、凹部２８２５〜２８２８の各々と、凹部２８３３〜２８３６の各々とは、互いに対向する位置に設けられている。
【００８３】
また、本変形例の凹部２８２１〜２８２４は、上記実施の形態の凹部２８１に対応した位置に設けられており、本変形例の凹部２８２５〜２８２８は、上記実施の形態の凹部２８２に対応した位置に設けられている。また、変形例の凹部２８２９〜２８３２は、上記実施の形態の凹部２８３に対応した位置に設けられており、本変形例の凹部２８３３〜２８３６は、上記実施の形態の凹部２８４に対応した位置に設けられている。
【００８４】
本変形例の凹部２８の幅Ｗ４は、成人の指１本分が十分に挿入できる大きさとされており、例えば、ＪＩＳ  Ｃ  ０９２０に規定されているテストフィンガが十分に挿入可能な大きさとしている。幅Ｗ４の具体例としては、１３ｍｍ以上、３０ｍｍ以下が好ましい。
【００８５】
なお、本変形例では、親指を除く４本の指に対応して、第１フレーム３２及び第２フレーム３４の４箇所に各々４つの凹部２８を設けているが、凹部２８の数は本変形例に限定されるものではない。例えば、凹部２８は、第１フレーム３２及び第２フレーム３４の上記長手方向の全長にわたって設けられていてもよい。
【００８６】
また、第２変形例と同様に、第１フレーム３２及び第２フレーム３４に、放射線画像撮影装置１０に電源電力を供給する電力線や信号線等のコネクタや、各種スイッチ等が設けられている場合は、これらが設けられている場所には、凹部２８を設けないようにすることが好ましい。
【００８７】
また各凹部２８２１〜２８３６の筐体２０の厚み方向の長さＨ３は、上記実施の形態の凹部２８１〜２８４の長さＨ２と同一としてもよいし、異なっていてもよい。
【００８８】
（変形例４）
図１２には、本変形例の放射線画像撮影装置の一例を放射線Ｒの照射側からみた平面図及び側面図を示す。なお、図１２では、ねじ穴２９の図示は省略している。
【００８９】
本変形例の放射線画像撮影装置１０では、凹部２８の形状を、筐体２０の天板２４側から背面板２６に向けて膨らんだ側面視円弧状としている。図１２に示した放射線画像撮影装置１０では、図９に示した変形例１の放射線画像撮影装置１０の凹部２８５、２８６の形状を、筐体２０の天板２４側から背面板２６に向けて膨らんだ側面視円弧状とした場合を示している。
【００９０】
このように、本変形例の放射線画像撮影装置１０では、凹部２８の形状を、筐体２０の天板２４側から背面板２６に向けて膨らんだ側面視円弧状としている。そのため、ユーザが、両手の指や両手の指と掌の少なくとも一部を含む部分等を凹部２８に挿入した場合における放射線画像撮影装置１０の把持のし易さを向上させることができる。
【００９１】
（変形例５）
図１３には、本変形例の放射線画像撮影装置の一例を放射線Ｒの照射側からみた平面図及び側面図を示す。なお、図１３では、ねじ穴２９の図示は省略している。
【００９２】
本変形例の放射線画像撮影装置１０では、第１フレーム３２及び第２フレーム３４の各々に、変形例３と同様の形状及び寸法とされた複数の凹部２８を、筐体２０の天板２４側から天板２４の反対側である背面板２６に向けて膨らんだ側面視円弧状に並べて配置している。図１３に示した放射線画像撮影装置１０では、図１１に示した変形例３の放射線画像撮影装置１０の第１フレーム３２に設けられた凹部２８２１〜２８２８、及び第２フレーム３４に設けられた凹部２８２９〜２８３６の配列位置を、筐体２０の天板２４側から背面板２６に向けて膨らんだ側面視円弧状とした場合を示している。
【００９３】
図１３に示したように、本変形例の放射線画像撮影装置１０では、複数の凹部２８を、筐体２０の天板２４側から背面板２６に向けて膨らんだ側面視円弧状に並べて配置することにより、ユーザが、両手の指を凹部２８に挿入した場合における放射線画像撮影装置１０の把持のし易さを向上させることができる。
（変形例６）
図１４には、本変形例の放射線画像撮影装置１０のフレーム本体３０の一例を放射線Ｒの照射側からみた平面図及び側面図を示す。
【００９４】
本変形例の放射線画像撮影装置１０では、凹みの内部の最深部が密閉されていない貫通孔として凹部２８を設けている。
【００９５】
図１４に示すように、本変形例の放射線画像撮影装置１０では、図２、３に示した凹部２８１〜２８４と同様の形状及び寸法の４つの凹部２８３７〜２８４０が設けられている。ただし、本変形例の凹部２８３７〜２８４０は、凹部２８１〜２８４とは異なり、凹みの内部、具体的には、図１４に示すように、第１フレーム３２及び第２フレーム３４に沿った最深部が開口とされた貫通孔とされている。
【００９６】
本変形例の放射線画像撮影装置１０のように、上記実施の形態や各変形例１〜５の凹部２８は、密閉されていなくてもよく、筐体２０の内部において開口を有する貫通孔としてもよい。
【００９７】
なお、本変形例の放射線画像撮影装置１０では、凹部２８の内部に、ねじ穴２９を設けることができないが、ねじ穴２９を有してなくても、撮影台１３、撮影台１５、及びグリッド６０（以下、「撮影台１３等」という。）と、放射線画像撮影装置１０とを固定することができる。
【００９８】
以下、ねじ穴２９の有無の如何に係わらず、凹部２８を利用して撮影台１３等に放射線画像撮影装置１０を固定する場合の形態例について説明する。図１５には、ねじ穴２９を有さない凹部２８を利用して、放射線画像撮影装置１０を撮影台１３に固定した場合の、図６に対応する断面図の一例を示す。図１５に示した例では、撮影台１３の一端部の側壁にねじ穴２９が設けられている。板金１６は、凹部２８の内部に一方の屈曲端が挿入され、かつ、この屈曲端と他方の屈曲端とでフレーム本体３０と撮影台１３との各端部を挟み込む状態とされている。この状態で、図１５に示したように、ねじ１８が撮影台１３のねじ穴２９に板金１６を介してねじ込まれることにより、放射線画像撮影装置１０を撮影台１３に固定する。この形態により、凹部２８にねじ止めを行わなくても、板金１６及びねじ１８により、放射線画像撮影装置１０と撮影台１３等とを固定することができる。
【００９９】
以上説明したように、上記各放射線画像撮影装置１０では、放射線検出器４０と、筐体２０とを備えている。放射線画像撮影装置１０は、各々放射線画像を検出する検出面を有する複数の放射線検出器４０を備えている。また、筐体２０は、天板２４、及び天板２４の縁部に設けられた側壁であるフレーム本体３０を備え、フレーム本体３０には凹部２８が設けられており、天板２４の表面に沿った方向に検出面が並べられた状態で複数の放射線検出器４０を収容する。
【０１００】
これにより、放射線画像撮影装置１０をユーザが把持して移動させる場合、凹部２８に自身の把持部分（指のみや、指と掌の少なくとも一部を含む部分等）を挿入して放射線画像撮影装置１０を把持することができる。従って、放射線画像撮影装置１０を容易に把持することができ、移動を容易に行うことができる結果、使い勝手がよくなる。
【０１０１】
一般的に、放射線検出器がＤＲの場合、電子部品を多く含むため、放射線検出器がＣＲの場合に比べて非常に重い。そのため、放射線画像撮影装置１０がＤＲの放射線検出器を備えている場合は、ＣＲの放射線検出器を備える場合に比べて、移動が行い難い。また、複数の放射線検出器を備える放射線画像撮影装置１０は、重量がさらに増加する。
【０１０２】
これに対して上述のように、筐体であるフレーム本体３０に凹部２８を設けることにより、放射線画像撮影装置１０が把持しやすくなり、移動しやすくなる。また、凹部２８であれば、放射線画像撮影装置１０の筐体２０に突起物である把手を設けなくとも、放射線画像撮影装置１０が把持しやすくなり、移動しやすくなる。また、筐体２０の対辺となる第１フレーム３２及び第２フレーム３４の各々に凹部２８を設けたため、２人のユーザ（第１ユーザ及び第２ユーザ）によって放射線画像撮影装置１０を両側から挟み込んで支える状態で移動することができるため、この点でも放射線画像撮影装置１０の移動が容易になる。
【０１０３】
また、第１フレーム３２に設けられた凹部２８及び第２フレーム３４に設けられた凹部２８を互いに対向する位置に配置しているので、この点においても第１ユーザ及び第２ユーザによる放射線画像撮影装置１０の移動が容易になる。また、この構成では、放射線画像撮影装置１０に対する把持力の付加が均等に分散されるため、放射線画像撮影装置１０の移動時における筐体２０の変形を抑制することができる。
【０１０４】
また、筐体２０の長手側の側壁となる第１フレーム３２及び第２フレーム３４の各々に凹部２８を設けたため、この点においても、放射線画像撮影装置１０の移動時における筐体２０の変形を抑制することができる。
【０１０５】
また、上記各放射線画像撮影装置１０では、突起物となる把手が設けられていないため、撮影台１３等と放射線画像撮影装置１０とを固定する場合に、把手が邪魔にならず、固定が容易になる。
【０１０６】
また、上記各放射線画像撮影装置１０は、撮影台１３等に固定する場合、凹部２８を固定部として利用することができるため、新たな固定部を筐体２０に設ける場合に比較して放射線画像撮影装置１０のコストを低減することができる。
【０１０７】
また、放射線画像撮影装置１０では、凹部２８を、放射線画像撮影装置１０を移動するための把持と、放射線画像撮影装置１０の固定とに兼用することができる。これにより、放射線画像撮影装置１０を移動するための把持部となる穴（凹部）と、放射線画像撮影装置１０を固定するための穴（凹部）を固定部として別途に設けた場合に比べて、無駄な穴を減らすことができ、筐体２０の強度を保つことができる。
【０１０８】
また、上記各放射線画像撮影装置１０は、図１および４に示したように、縦にした状態及び横にした状態のいずれでも使用することができる。また、撮影台１３等に固定して使用することもできるし、床等に置いて使用することもできる。このように、上記各放射線画像撮影装置１０は、種々の撮影に対応することができるため、撮影の種類等に応じて、複数種類の放射線画像撮影装置を備えずともよくなり、コストダウンを図ることができる。
【０１０９】
以上説明したように、上記各放射線画像撮影装置１０によれば、凹部２８を筐体２０に設けたことにより、比較的大きな装置構成であっても、放射線画像撮影装置１０の使い勝手が格段に向上される。
【０１１０】
なお、放射線画像撮影装置が、検出面が予め定められた大きさ以上の大きさとされた単一の放射線検出器を備える場合も、複数の放射線検出器４０を備えた従来の放射線画像撮影装置と同様の問題が生じ、使い勝手が悪くなる。なお、ここで「検出面の大きさ」とは、面積のことをいう。そのため、検出面が予め定められた大きさ以上の大きさとされた単一の放射線検出器を備える放射線画像撮影装置の筐体も、上記各放射線画像撮影装置１０の筐体２０と同様の構造とすることが好ましい。
【０１１１】
図１６に、図３に示した上記実施の形態の放射線画像撮影装置１０のフレーム本体３０に、検出面が予め定められた大きさ以上の大きさとされた単一の放射線検出器が収容された状態を放射線Ｒの照射側からみた平面図及び側面図を示す。
本実施の形態において、予め定められた大きさとは、例えば、ユーザが一人で移動が可能な大きさ及び重さの放射線画像撮影装置１０に収容可能な大きさである。本実施の形態の放射線画像撮影装置１０では、放射線検出器５０の検出面の大きさの具体例として、上記放射線検出器４０を３枚並べた場合における全体での検出面と同等の大きさとしている。
【０１１２】
一般的に、人体の一部である長尺の被写体の撮影において、放射線検出器５０の検出面の短辺が約３５ｃｍ（１４インチ）から約４３ｃｍ（１７インチ）である場合、検出面の短辺と長辺との比が１．５以上、４以下であれば、いわゆる脊椎撮影に適用可能である。この場合の放射線検出器５０を収容する放射線画像撮影装置１０は、一般的に、ユーザが一人で移動し難い大きさ及び寸法となる。
【０１１３】
このように、検出面が予め定められた大きさ以上の大きさとされた単一の放射線検出器５０を備える放射線画像撮影装置１０であっても、フレーム本体３０に凹部２８が設けられているため、上記各放射線画像撮影装置１０と同様に、使い勝手がよくなる。
【０１１４】
また、上記各放射線画像撮影装置１０では、図５に示したように、複数の放射線検出器４０が、撮影有効領域の端部同士が重複された状態で並べて配置されている場合について説明したが、放射線検出器４０は、一体的に形成されていてもよい。
【０１１５】
また、複数の放射線検出器４０は、撮影有効領域の端部同士が重複されない状態で並べて配置されていてもよい。図１７には、放射線検出器４０の撮影有効領域の端部同士が重複されない配置状態の一例を表す側面図及び平面図を示す。図１７に示した場合では、放射線検出器４０の端部の端面同士が接触または近接した状態で並べられている。また、図１７に示した放射線検出器４０のシンチレータ４５は、図５に示した放射線検出器４０のシンチレータ４４と異なり、ＴＦＴガラス基板４２の検出面全体と同様の大きさを有している。図１７に示した一例では、撮影有効領域の隙間を空けずに、放射線検出器４０の端部の端面同士を接触または近接した状態で並べている。なお、このように複数の放射線検出器４０の端部の端面同士が接触または近接した状態で並べた場合、複数のＴＦＴガラス基板４２の検出面全体を覆うように単一のシンチレータを設けてもよい。
【０１１６】
なお、凹部２８は、上述したように凹みの内部が密閉されていても、密閉されていなくてもよい。すなわち、フレーム本体３０に、孔が空いていても、空いていなくてもよい。密閉されている場合は、ユーザが凹部２８に指を挿入しても、内部の放射線検出器４０等に指先が接触するのを防止することができる。また、密閉されている場合は、筐体２０の内部に、血液、水分、及び薬液等の液体や、塵埃等の異物の侵入を防止することができる。また、密閉されている場合は、フレーム本体３０に孔が空いていないため、密閉されていない場合に比べて、筐体２０の強度が高くなる。また、凹部２８の凹みの内部が密閉されていない場合、すなわち、フレーム本体３０に孔が空いている場合であっても、筐体２０内に内壁が設けられていたり、放射線検出器４０が別途、覆われていたりすることが好ましい。この場合は、ユーザが凹部２８に指を挿入しても、内部の放射線検出器４０等に指先が接触するのを防止することができ、また、異物の侵入を防止することができる。
【０１１７】
また、第１フレーム３２に設けられた凹部２８と、第２フレーム３４に設けられた凹部２８とは、上述したように互いに対向する位置に配置されていることが好ましいが、必ずしも対向する位置に設けられていなくてもよい。
【０１１８】
また、凹部２８は、放射線画像撮影装置１０の長手側の側壁である第１フレーム３２及び第２フレーム３４に設けることが好ましいが、短手側の側壁である第３フレーム３６及び第４フレーム３８に設けてもよい。
【０１１９】
また、凹部２８の数は、上記実施の形態（各変形例も含む）に記載のものに限定されるものではない。ただし、２人のユーザ（第１ユーザ及び第２ユーザ）により放射線画像撮影装置１０を両側から把持することが把持力の分散や移動に要する人数の面での効率の観点から好ましく、フレーム本体３０の、互いに対向する２つの側壁に少なくとも１つずつ凹部２８が設けられていることが好ましい。
【０１２０】
また、放射線画像撮影装置１０を撮影台１３等に固定する方法は、図６〜８および１５に図示した方法に限らない。凹部２８を固定部として利用すればよく、その方法は特に限定されない。
【０１２１】
また、一例として図１５に示したように、凹部２８にねじ穴２９が設けられていなくても、凹部２８を固定部として利用して撮影台１３等に放射線画像撮影装置１０を固定することができる。このように、凹部２８内には、必ずしもねじ穴２９が設けられていなくてもよい。
【０１２２】
なお、凹部２８の位置を上面側からユーザが視認しやすいように、天板２４に凹部２８の位置を表す表示を行うようにしてもよい。図１８には、凹部２８の位置を天板２４の撮影面２５に表示した放射線画像撮影装置１０の一例を示す。図１８に示した放射線画像撮影装置１０では、図２に示した放射線画像撮影装置１０において、天板２４の撮影面２５に、凹部２８１〜２８４の位置を表すマーク６２が表示されている場合を示している。
【０１２３】
また、放射線画像撮影装置１０（筐体２０）の形状は、上記各放射線画像撮影装置１０の形態に限らない。例えば、一例として図１９に示すように、フレーム本体３０を平面視した場合の背面板２６側の寸法が、天板２４（撮影面２５）側に比べて小さくなっていてもよい。図１９のＢ−Ｂ切断線による断面図に示したように、この場合であっても、筐体２０に凹部２８を設けることができるため、上記各放射線画像撮影装置１０と同様の効果が得られる。
【０１２４】
また、上記各放射線画像撮影装置１０では、長さＬ１が長さＬ２よりも長い長尺状の平面視矩形（平面視長方形）である場合について説明したが、放射線画像撮影装置１０の形状は長方形に限らない。例えば、図２０に示すように、矩形の各辺が同一の長さＬ４である平面視正方形であってもよい。例えば、放射線検出器４０をＸ軸方向に２枚及びＹ軸方向に２枚の合計４枚配置する場合等、放射線検出器４０を正方形状に配置する場合がこの形態として例示される。この場合であっても、上記各放射線画像撮影装置１０と同様に凹部２８を設けることにより、放射線画像撮影装置１０の使い勝手が向上される。
【０１２５】
また、放射線画像撮影装置１０及び凹部２８の大きさ（寸法）は、上記、実施の形態及び各変形例に限定されない。例えば、凹部２８の幅Ｗ１〜Ｗ３は、放射線検出器４０の寸法や枚数、及び放射線画像撮影装置１０（フレーム本体３０）の大きさ等も考慮して、適宜定めればよい。
【０１２６】
また、放射線画像撮影装置１０（筐体２０）の形状は、平面視矩形状でなくてもよく、例えば、平面視円形状、及びその他の多角形等としてもよい。
【０１２７】
また、放射線画像撮影装置１０に複数の放射線検出器４０を収容する場合は、収容する放射線検出器４０の数は、２枚以上であればよく、特に限定されるものではない。
【０１２８】
また、被写体は、人でなくてもよく、人以外の動物や植物等の生物や、他の物体であってもよい。
【０１２９】
また、放射線画像の撮影に用いられる放射線Ｒは特に限定されるものではなく、Ｘ線やγ線等を適用することができる。
【０１３０】
その他、本実施の形態で説明した放射線画像撮影装置１０、筐体２０、フレーム本体３０、及び放射線検出器４０の構成及び動作は一例であり、本発明の主旨を逸脱しない範囲内において状況に応じて変更可能であることはいうまでもない。
【符号の説明】
【０１３１】
１０  放射線画像撮影装置
２０  筐体
２４  天板
２８  凹部
２９  ねじ穴
３０  フレーム本体
３２  第１フレーム
３４  第２フレーム
３６  第３フレーム
３８  第４フレーム
４０、５０  放射線検出器
６２  マーク
【図１】
2016104116.tif 000003
【図２】
2016104116.tif 000004
【図３】
2016104116.tif 000005
【図４】
2016104116.tif 000006
【図５】
2016104116.tif 000007
【図６】
2016104116.tif 000008
【図７】
2016104116.tif 000009
【図８】
2016104116.tif 000010
【図９】
2016104116.tif 000011
【図１０】
2016104116.tif 000012
【図１１】
2016104116.tif 000013
【図１２】
2016104116.tif 000014
【図１３】
2016104116.tif 000015
【図１４】
2016104116.tif 000016
【図１５】
2016104116.tif 000017
【図１６】
2016104116.tif 000018
【図１７】
2016104116.tif 000019
【図１８】
2016104116.tif 000020
【図１９】
2016104116.tif 000021
【図２０】
2016104116.tif 000022